【手続補正書】
【提出日】平成23年8月10日(2011.8.10)
【手続補正１】
【補正対象書類名】特許請求の範囲
【補正対象項目名】全文
【補正方法】変更
【補正の内容】
【特許請求の範囲】
【請求項１】
下側水平部と上側水平部と、これらの後部同士を連結する支柱部とからなる側面視で略コの字型の顕微鏡本体と、
透過光源と、
前記透過光源からの照明光を前記顕微鏡本体に支持される標本に導き、前記標本を透過照明する透過照明光学系と
を備えた顕微鏡であって、
前記下側水平部と、前記支柱部は一体的にL字形状をなしたフレームであり、
前記透過照明光学系及び前記透過光源は、前記顕微鏡本体の前記フレームに着脱可能に構成されたことを特徴とする顕微鏡。
【請求項２】
前記透過照明光学系と前記透過光源の少なくとも一方は予め準備された複数の種類から選択可能であり、前記下側水平部は、前記透過照明光学系及び前記透過光源を着脱交換可能に構成されたことを特徴とする請求項１に記載の顕微鏡。
【請求項３】
前記透過光源は、ハロゲン光源及びＬＥＤ光源の２種類から選択可能であり、前記ハロゲン光源と前記ＬＥＤ光源とは、前記下側水平部に対して互換性を有して着脱可能であることを特徴とする請求項１または請求項２に記載の顕微鏡。
【請求項４】
前記透過照明光学系は、色変換フィルタ又は減光フィルタの少なくとも一方を含む第１の透過照明光学系と、色変換フィルタ及び減光フィルタを含まない第２の透過照明光学系の２種類から選択可能であり、第１の透過照明光学系と第２の透過照明光学系とは、前記下側水平部に対して互換性を有して着脱可能であることを特徴とする請求項１から請求項３のいずれか一つに記載の顕微鏡。
【請求項５】
前記透過照明光学系は、前記透過光源からの照明光を概略平行光にするコレクタレンズと、前記コレクタレンズからの光を制限する視野絞りと、前記視野絞りからの透過照明光軸を偏向するミラーと、前記ミラーからの視野絞り像を概略無限遠に投影する窓レンズとを含んで構成され、
少なくとも前記透過光源と前記コレクタレンズは前記下側水平部の後部側に、少なくとも前記視野絞りと前記ミラーと前記窓レンズは前記下側水平部の前部側に、それぞれ一体的に着脱可能に構成されたことを特徴とする請求項１から請求項４のいずれか一つに記載の顕微鏡。
【請求項６】
前記視野絞りと前記ミラーと前記窓レンズに加え、色変換フィルタと減光フィルタの少なくとも一方も前記下側水平部の前部側に一体的に着脱可能に構成されたことを特徴とする請求項５に記載の顕微鏡。
【請求項７】
色変換フィルタ又は減光フィルタは、前記透過照明光学系の光路に電動で挿脱可能に構成されたことを特徴とする請求項１に記載の顕微鏡。
【請求項８】
前記透過照明光学系は、透過照明光軸を偏向するミラーを含む第３の透過照明光学系と、透過照明光軸を偏向するミラーを含まない第４の透過照明光学系の２種類から選択可能であり、第３の透過照明光学系と第４の透過照明光学系とは、前記下側水平部に対して互換性を有して着脱可能であることを特徴とする請求項１に記載の顕微鏡。
【請求項９】
前記透過光源からの光を標本に導き、第１群レンズと開口絞りと第２群レンズとを含んでなるコンデンサレンズをさらに備え、
前記第１群レンズは、前記下側水平部の前部側に一体的に着脱可能な前記透過照明光学系に含まれることを特徴とする請求項１に記載の顕微鏡。
【請求項１０】
前記下側水平部の前部側に一体的に着脱可能な前記視野絞り、前記ミラー及び前記窓レンズに替えて少なくとも透過光源、コレクタレンズ及び視野絞りが前記下側水平部の前部側に対して一体的に着脱可能に構成されたことを特徴とする請求項１に記載の顕微鏡。
【請求項１１】
前記下側水平部の前部側に対して一体的に着脱可能な透過光源、コレクタレンズ及び視野絞りを含む部分は、前記下側水平部の前部側に装着時に透過光源用の電源と電気的に接続されることを特徴とする請求項１０に記載の顕微鏡。
【請求項１２】
前記下側水平部の後部側に対して一体的に着脱可能な前記透過光源及び前記コレクタレンズを含む部分は、前記下側水平部の後部側に装着時に透過光源用の電源と電気的に接続され、この電源は、前記下側水平部の前部側に対して一体的に着脱可能な透過光源、コレクタレンズ及び視野絞りが前記下側水平部の前部側に装着時に電気的に接続される透過光源用の電源であることを特徴とする請求項１１に記載の顕微鏡。
【請求項１３】
前記透過光源用の電源をさらに備え、この電源は前記顕微鏡本体に着脱可能に構成されたことを特徴とする請求項１に記載の顕微鏡。
【請求項１４】
前記透過光源として、ハロゲン光源を用いることを特徴とする請求項１または請求項２に記載の顕微鏡。
【手続補正２】
【補正対象書類名】明細書
【補正対象項目名】００２７
【補正方法】変更
【補正の内容】
【００２７】
上記の目的を達成するために、本発明に係る顕微鏡は、下側水平部と上側水平部と、これらの後部同士を連結する支柱部とからなる側面視で略コの字型の顕微鏡本体と、透過光源と、前記透過光源からの照明光を前記顕微鏡本体に支持される標本に導き、前記標本を透過照明する透過照明光学系とを備えた顕微鏡であって、前記下側水平部と、前記支柱部は一体的にL字形状をなしたフレームであり、前記透過照明光学系及び前記透過光源は、前記顕微鏡本体の前記フレームに着脱可能に構成されたことを特徴とする。
【手続補正３】
【補正対象書類名】明細書
【補正対象項目名】００２９
【補正方法】変更
【補正の内容】
【００２９】
また、本発明に係る顕微鏡は、上述した発明において、前記透過光源は、ハロゲン光源及びＬＥＤ光源の２種類から選択可能であり、前記ハロゲン光源と前記ＬＥＤ光源とは、前記下側水平部に対して互換性を有して着脱可能であることを特徴とする。
【手続補正４】
【補正対象書類名】明細書
【補正対象項目名】００３０
【補正方法】変更
【補正の内容】
【００３０】
また、本発明にかかる顕微鏡は、上述した発明において、前記透過照明光学系は、色変換フィルタ又は減光フィルタの少なくとも一方を含む第１の透過照明光学系と、色変換フィルタ及び減光フィルタを含まない第２の透過照明光学系の２種類から選択可能であり、第１の透過照明光学系と第２の透過照明光学系とは、前記下側水平部に対して互換性を有して着脱可能であることを特徴とする。
【手続補正５】
【補正対象書類名】明細書
【補正対象項目名】００３１
【補正方法】変更
【補正の内容】
【００３１】
また、本発明に係る顕微鏡は、上述した発明において、前記透過照明光学系は、前記透過光源からの照明光を概略平行光にするコレクタレンズと、前記コレクタレンズからの光を制限する視野絞りと、前記視野絞りからの透過照明光軸を偏向するミラーと、前記ミラーからの視野絞り像を概略無限遠に投影する窓レンズとを含んで構成され、少なくとも前記透過光源と前記コレクタレンズは前記下側水平部の後部側に、少なくとも前記視野絞りと前記ミラーと前記窓レンズは前記下側水平部の前部側に、それぞれ一体的に着脱可能に構成されたことを特徴とする。
【手続補正６】
【補正対象書類名】明細書
【補正対象項目名】００３２
【補正方法】変更
【補正の内容】
【００３２】
また、本発明に係る顕微鏡は、上述した発明において、前記視野絞りと前記ミラーと前記窓レンズに加え、色変換フィルタと減光フィルタの少なくとも一方も前記下側水平部の前部側に一体的に着脱可能に構成されたことを特徴とする請求項５に記載の顕微鏡。
【手続補正７】
【補正対象書類名】明細書
【補正対象項目名】００３３
【補正方法】変更
【補正の内容】
【００３３】
また、本発明に係る顕微鏡は、上述した発明において、色変換フィルタ又は減光フィルタは、前記透過照明光学系の光路に電動で挿脱可能に構成されたことを特徴とする。
【手続補正８】
【補正対象書類名】明細書
【補正対象項目名】００３４
【補正方法】変更
【補正の内容】
【００３４】
また、本発明に係る顕微鏡は、上述した発明において、前記透過照明光学系は、透過照明光軸を偏向するミラーを含む第３の透過照明光学系と、透過照明光軸を偏向するミラーを含まない第４の透過照明光学系の２種類から選択可能であり、第３の透過照明光学系と第４の透過照明光学系とは、前記下側水平部に対して互換性を有して着脱可能であることを特徴とする。
【手続補正９】
【補正対象書類名】明細書
【補正対象項目名】００３９
【補正方法】変更
【補正の内容】
【００３９】
また、本発明に係る顕微鏡は、上述した発明において、前記透過光源用の電源をさらに備え、この電源は前記顕微鏡本体に着脱可能に構成されたことを特徴とする。
また、本発明に係る顕微鏡は、上述した発明において、前記透過光源として、ハロゲン光源を用いることを特徴とする。
【手続補正１０】
【補正対象書類名】明細書
【補正対象項目名】００４０
【補正方法】変更
【補正の内容】
【００４０】
本発明によれば、下側水平部と上側水平部と、これらの後部同士を連結する支柱部とからなる側面視で略コの字型の顕微鏡本体と、透過光源と、前記透過光源からの照明光を前記顕微鏡本体に支持される標本に導き、前記標本を透過照明する透過照明光学系とを備えた顕微鏡であって、前記下側水平部と、前記支柱部は一体的にL字形状をなしたフレームであり、前記透過照明光学系及び前記透過光源は、前記顕微鏡本体の前記フレームに着脱可能に構成されたので、透過照明光学系及び透過光源を容易に変更することができる。これにより、顕微鏡本体の種類数を少なくとも１種類にすることが可能となるので、生産管理や在庫管理が容易になるとともに、製造コストを低減することができる。
【手続補正１１】
【補正対象書類名】明細書
【補正対象項目名】００４２
【補正方法】変更
【補正の内容】
【００４２】
また、本発明の他の顕微鏡によれば、前記透過光源は、ハロゲン光源及びＬＥＤ光源の２種類から選択可能であり、前記ハロゲン光源と前記ＬＥＤ光源とは、前記下側水平部に対して互換性を有して着脱可能であるので、用途に応じて光源の種類を選択することができる。
【手続補正１２】
【補正対象書類名】明細書
【補正対象項目名】００４３
【補正方法】変更
【補正の内容】
【００４３】
また、本発明の他の顕微鏡によれば、前記透過照明光学系は、色変換フィルタ又は減光フィルタの少なくとも一方を含む第１の透過照明光学系と、色変換フィルタ及び減光フィルタを含まない第２の透過照明光学系の２種類から選択可能であり、第１の透過照明光学系と第２の透過照明光学系とは、前記下側水平部に対して互換性を有して着脱可能であるので、用途に応じてフィルタの有無を選択することができる。
【手続補正１３】
【補正対象書類名】明細書
【補正対象項目名】００４４
【補正方法】変更
【補正の内容】
【００４４】
また、本発明の他の顕微鏡によれば、前記透過照明光学系は、前記透過光源からの照明光を概略平行光にするコレクタレンズと、前記コレクタレンズからの光を制限する視野絞りと、前記視野絞りからの透過照明光軸を偏向するミラーと、前記ミラーからの視野絞り像を概略無限遠に投影する窓レンズとを含んで構成され、少なくとも前記透過光源と前記コレクタレンズは前記下側水平部の後部側に、少なくとも前記視野絞りと前記ミラーと前記窓レンズは前記下側水平部の前部側に、それぞれ一体的に着脱可能に構成されたので、用途に応じて透過光源及び透過照明光学系の種類をそれぞれ選択することができる。
【手続補正１４】
【補正対象書類名】明細書
【補正対象項目名】００４５
【補正方法】変更
【補正の内容】
【００４５】
また、本発明の他の顕微鏡によれば、前記視野絞りと前記ミラーと前記窓レンズに加え、色変換フィルタと減光フィルタの少なくとも一方も前記下側水平部の前部側に一体的に着脱可能に構成されたので、下側水平部の前部側に対して一体的に着脱可能な部分におけるフィルタの有無を用途に応じて選択することができる。
【手続補正１５】
【補正対象書類名】明細書
【補正対象項目名】００４６
【補正方法】変更
【補正の内容】
【００４６】
また、本発明の他の顕微鏡によれば、色変換フィルタ又は減光フィルタは、前記透過照明光学系の光路に電動で挿脱可能に構成されたので、用途に応じて電動によるフィルタの挿脱を選択することができる。
【手続補正１６】
【補正対象書類名】明細書
【補正対象項目名】００４７
【補正方法】変更
【補正の内容】
【００４７】
また、本発明の他の顕微鏡によれば、前記透過照明光学系は、透過照明光軸を偏向するミラーを含む第３の透過照明光学系と、透過照明光軸を偏向するミラーを含まない第４の透過照明光学系の２種類から選択可能であり、第３の透過照明光学系と第４の透過照明光学系とは、前記下側水平部に対して互換性を有して着脱可能であるので、用途に応じて透過照明光軸を偏向するミラーの有無を選択することができる。